(57)【特許請求の範囲】
【請求項１】
複数の構成部分が連結部材を介して連結されて板状に配置され、一部の前記連結部材を介して少なくとも一部の前記構成部分同士が重畳されるように折り畳み可能に構成され、重畳された前記構成部分同士のうちの少なくとも一部を含む可動部分がその他の部分に対して一体的に動作可能に構成され、複数の構成部分が板状に配置された一の形態と、前記可動部分が一体的に動作した後の他の形態とを可逆的に取り得ることを特徴とする形態変化玩具。
【請求項２】
前記連結部材としてヒンジを有し、前記可動部分は前記ヒンジの軸を中心に回動可能に構成されていることを特徴とする請求項１に記載の形態変化玩具。
【請求項３】
前記可動部分を構成する重畳された２つの構成部分のそれぞれは前記一の形態における面に垂直な軸を有する別々の前記ヒンジを介してその他の構成部分に連結され、前記別々の前記ヒンジの軸同士は、前記少なくとも一部の前記構成部分同士が重畳されるように折り畳まれた際に、一直線状に並ぶことを特徴とする請求項２に記載の形態変化玩具。
【請求項４】
前記一部の連結部材には両端に軸が配置され、前記一部の連結部材は、当該軸のそれぞれを介して別々の前記構成部分に連結されていることを特徴とする請求項１から請求項３のいずれか一項に記載の形態変化玩具。
【請求項５】
前記一の形態は、矩形状であり、全幅の１／２の幅をもった中央部分と、当該中央部分の両脇に位置しそれぞれ全幅の１／４の幅をもった両脇部分とから構成され、前記複数の構成部分は前記中央部分と前記両脇部分とに振り分けて配置されるとともに、前記中央部分と前記両脇部分との間は前記一部の連結部材によって互いに連結されていることを特徴とする請求項１から請求項４のいずれか一項に記載の形態変化玩具。
【請求項６】
前記両脇部分は、前記中央部分の第一面又は第二面のいずれか一つに選択的に重なる方向に折り畳み可能に連結されていることを特徴とする請求項５に記載の形態変化玩具。
【請求項７】
前記両脇部分は、前記中央部分の第一面又は第二面のいずれか一つの面だけに重なる方向に折り畳み可能に連結されていることを特徴とする請求項５に記載の形態変化玩具。
【発明の詳細な説明】
【技術分野】
【０００１】
本発明は、形象物の構成部分を板状に収めた板状体の形態を可逆的に変化させることができる形態変化玩具に関するものである。
【背景技術】
【０００２】
従来、形態変化玩具として、矩形板状の胴体部と当該胴体部の周側面に対して可動可能に取り付けた左右一対の腕部と左右一対の脚部を設け、前記胴体部と前記腕部の取り付けおよび前記胴体部と前記脚部の取り付けは、結合部材の両端に設けた球状体と、前記胴体部の周側面および／若しくは前記腕部および脚部の側面に設けた前記球状体を保持する筒状の内面を有した孔からなるボールジョイント機構によって行われ、前記胴体部に対して前記腕部と脚部を密着させることによって形成した肉厚が一定かつ矩形の外形を有する板状体の形態と、前記胴体部から前記腕部と脚部を引き離すことによって形成した人間型の人形形態とを可逆的に変形可能となるように形成した変形人形が知られている（例えば、特許文献１参照）。
【０００３】
要するに、この形態変化玩具は、中心に位置する矩形の胴体部の上面に頭部を転回可能に結合させ、胴体部の両側面に腕部を転回可能に連結させ、胴体部の下面に脚部を転回可能に連結させている。
【先行技術文献】
【特許文献】
【０００４】
【特許文献１】実用新案登録第３１９７０８７号公報
【発明の概要】
【発明が解決しようとする課題】
【０００５】
ところで、上記形態変化玩具では、結合部材として端部に球状体を有するものを採用し、その球状体を各部に嵌着させることによって各部を胴体部に対して転回可能に連結させている。
それ故、球状体を収容するために、各部の厚みを厚くしなくてはならず、その場合には、矩形板状体の厚みが厚くなってしまう。また、結合部材の球状体を小さくして矩形板状体の厚みを薄くした場合には、十分な強度が得られない虞がある。
【０００６】
本発明は、板状体の厚みが薄くても十分な強度が得られる形態変化玩具を提供することを目的としている。
【課題を解決するための手段】
【０００７】
請求項１に記載の形態変化玩具は、複数の構成部分が連結部材を介して連結されて板状に配置され、一部の前記連結部材を介して少なくとも一部の前記構成部分同士が重畳されるように折り畳み可能に構成され、重畳された前記構成部分同士のうちの少なくとも一部を含む可動部分がその他の部分に対して一体的に動作可能に構成され、複数の構成部分が板状に配置された一の形態と、前記可動部分が一体的に動作した後の他の形態とを可逆的に取り得ることを特徴とする。
また、請求項２に記載の形態変化玩具は、請求項１に記載の形態変化玩具であって、前記連結部材としてヒンジを有し、前記可動部分は前記ヒンジの軸を中心に回動可能に構成されていることを特徴とする。
また、請求項３に記載の形態変化玩具は、請求項２に記載の形態変化玩具であって、前記可動部分を構成する重畳された２つの構成部分のそれぞれは前記一の形態における面に垂直な軸を有する別々の前記ヒンジを介してその他の構成部分に連結され、前記別々の前記ヒンジの軸同士は、前記少なくとも一部の前記構成部分同士が重畳されるように折り畳まれた際に、一直線状に並ぶことを特徴とする。
さらに、請求項４に記載の形態変化玩具は、請求項１から請求項３のいずれか一項に記載の形態変化玩具であって、前記一部の連結部材には両端に軸が配置され、前記一部の連結部材は、当該軸のそれぞれを介して別々の前記構成部分に連結されていることを特徴とする。
【０００８】
請求項５に記載の形態変化玩具は、請求項１から請求項４のいずれか一項に記載の形態変化玩具であって、前記一の形態は、矩形状であり、全幅の１／２の幅をもった中央部分と、当該中央部分の両脇に位置しそれぞれ全幅の１／４の幅をもった両脇部分とから構成され、前記複数の構成部分は前記中央部分と前記両脇部分とに振り分けて配置されるとともに、前記中央部分と前記両脇部分との間は前記一部の連結部材によって互いに連結されていることを特徴とする。
【０００９】
請求項６に記載の形態変化玩具は、請求項５に記載の形態変化玩具であって、前記両脇部分は、前記中央部分の第一面又は第二面のいずれか一つに選択的に重なる方向に折り畳み可能に連結されていることを特徴とする。
【００１０】
請求項７に記載の形態変化玩具は、請求項５に記載の形態変化玩具であって、前記両脇部分は、前記中央部分の第一面又は第二面のいずれか一つの面だけに重なる方向に折り畳み可能に連結されていることを特徴とする。
【発明の効果】
【００１１】
請求項１から請求項４に記載の形態変化玩具によれば、重畳された構成部分同士のうちの少なくとも一部が一体的に動作するように構成されているため、少なくとも動作部分の厚さは重畳しない場合に比べて厚くなるので、より立体感を醸し出すことができるとともに、強度も十分高いものとなる。また、特に、請求項４に記載の形態変化玩具によれば、連結部材には両端に軸が配置されているので、連結部材を挟んで隣り合う構成部分にある程度厚みがある場合でも、簡単に折り畳むことができる。
【００１２】
請求項５に記載の形態変化玩具によれば、全幅の１／２の中央部分と全幅の１／４の両脇部分とが折り畳まれることになるので、全体の強度がより高いものとなる。
【００１３】
請求項６に記載の形態変化玩具によれば、両脇部分の折り畳み方向を変更することによって２つの他の形態を取ることができる。
【００１４】
請求項７に記載の形態変化玩具によれば、両脇部分の折り畳み方向を１つとすることによって、一の形態の１つの面を平面にすることができる。そして、この平面を各種カードの表面に見立てることができる。
【図面の簡単な説明】
【００１５】
【図１】第１実施形態の形態変化玩具とケースを示した斜視図である。
【図２】第１実施形態の形態変化玩具の板状体の第二面を示した図である。
【図３】第１実施形態の形態変化玩具の連結部材の構造を示した模式図である。
【図４】第１実施形態の形態変化玩具の他の連結部材の構造を示した模式図である。
【図５】第１実施形態の形態変化玩具のさらに他の連結部材の構造を示した模式図である。
【図６】第１実施形態の形態変化玩具の板状体の第一面を示した図である。
【図７】第１実施形態の形態変化玩具の形態変化の過程を示した図である。
【図８】第１実施形態の形態変化玩具の形態変化の過程を示した図である。
【図９】第１実施形態の形態変化玩具の形態変化の過程を示した図である。
【図１０】第１実施形態の形態変化玩具の形態変化後の様子を示した正面図である。
【図１１】第１実施形態の形態変化玩具の形態変化後の様子を示した斜視図である。
【図１２】第１実施形態の形態変化玩具の他の形態変化後の様子を示した斜視図である。
【図１３】第２実施形態の形態変化玩具の形態変化玩具の第一面を示した図である。
【図１４】第２実施形態の形態変化玩具の形態変化の過程を示した図である。
【図１５】第２実施形態の形態変化玩具の形態変化後の様子を示した正面図である。
【図１６】第３実施形態の形態変化玩具の板状体の第一面を示した図である。
【図１７】第３実施形態の形態変化玩具の板状体の第二面を示した図である。
【図１８】第３実施形態の形態変化玩具の形態変化の過程を示した図である。
【図１９】第３実施形態の形態変化玩具の形態変化後の様子を示した正面図である。
【図２０】第３実施形態の形態変化玩具の足先の構造を示した拡大図である。
【発明を実施するための形態】
【００１６】
以下、本発明に係る形態変化玩具の実施形態を図面に基づいて説明する。
【００１７】
《第１実施形態》
（全体構成）
図１は、第１実施形態の形態変化玩具１Ａを示した斜視図である。
この形態変化玩具１Ａは、板状体１０である一の形態と、図１１及び図１２に示す他の２つの形態との間で可逆的に変化可能に構成されている。
この形態変化玩具１Ａは、一の形態では、ロボット玩具の胴部，頭部等の各構成部分を連結して矩形板状に配置した板状体１０を形成している。
この板状体１０は、構成部分同士が重畳されるように連結部材４ａ〜４ｄを介して折り畳み可能に構成されている。また、この形態変化玩具１Ａは、折り畳みによって重畳された構成部分同士のうちの少なくとも一部が一体的に動作可能に構成されている。
また、この板状体１０は持ち運びの際等にはケース５に格納可能となっている。
なお、図１では、板状体１０の第二面が表されている。
【００１８】
（細部構成）
１．板状体１０の構成
図２は、板状体１０の第一面を表している。
形態変化玩具１Ａの板状体１０は、大別すると、中央部分１０ａと、中央部分１０ａの両脇に位置する左側部分（両脇部分の一方）１０ｂ及び右側部分（両脇部分の他方）１０ｃとの３つの部分によって構成されている。
中央部分１０ａは板状体１０の幅方向中央に位置し、板状体１０の全幅の１／２の幅を有している。また、左側部分１０ｂ及び右側部分１０ｃのそれぞれは板状体１０の全幅の１／４の幅を有している。そして、図２において、中央部分１０ａと左側部分１０ｂは、２つの連結部材４ａ，４ｂによって互いに連結され、連結部材４ａ，４ｂを介して折り畳み可能に構成されている。また、図２において、中央部分１０ａと右側部分１０ｃは、２つの連結部材４ｃ，４ｄによって互いに連結され、連結部材４ｃ，４ｄを介して折り畳み可能に構成されている。
【００１９】
中央部分１０ａには、左側部分１０ｂ及び右側部分１０ｃの折り畳み方向に応じて、ロボット玩具の左半身又は右半身となる構成部分が形成されている。なお、以下では、説明の便宜のため、図２の状態から左側部分１０ｂ及び右側部分１０ｃが中央部分１０ａの裏側に折り返され、中央部分１０ａが左半身となる場合を説明する。
具体的には、中央部分１０ａには、胴左部１５ａと、胴左部１５ａと一体的に形成された頭左部１６ａと、胴左部１５ａにヒンジ（連結部材）１７ａを介して連結された脚左部１８ａと、胴左部１５ａに連結部材１９ａによって連結された左車輪２０ａとが形成されている。また、頭左部１６ａには、連結部材２１ａを介して左頬部２２ａが形成され、胴左部１５ａには、ヒンジ（連結部材）２３ａを介して左腕部２４ａが形成されている。
【００２０】
左側部分１０ｂには、ロボット玩具の右半身前部となる構成部分が形成されている。具体的には、左側部分１０ｂには、胴右前部１５ｂと，胴右前部１５ｂと一体的に形成された頭右前部１６ｂと、胴右前部１５ｂにヒンジ（連結部材）１７ｂを介して連結された脚右部１８ｂとが形成されている。また、頭右前部１６ｂには、連結部材２１ｂを介して連結された右頬部２２ｂが形成されている。
【００２１】
右側部分１０ｃには、ロボット玩具の右半身後部となる構成部分が形成されている。具体的には、右側部分１０ｃには、胴右後部１５ｃと、胴右後部１５ｃと一体的に形成された頭右後部１６ｃと、胴右後部１６ｃに連結部材１９ｂによって連結された右車輪２０ｂとが形成されている。また、胴右後部１５ｃには、ヒンジ（連結部材）２３ｂを介して右腕部２４ｂが配設されている。
【００２２】
２．連結部材の構成
連結部材４ａは、中央部分１０ａの頭左部１６ａと左側部分１０ｂの頭右前部１６ｂとを連結するものである。図３に示すように、頭左部１６ａと頭右前部１６ｂとは、具体的には、連結部材４ａの両端に配置される軸１１ｂ，１１ｃによって連結されている。なお、この連結部材４ａの外面には一の顔が形成されている。
【００２３】
この連結部材４ａでは、図３（Ａ）に示すように、頭左部１６ａの端面と頭右前部１６ｂの端面とが互いに当接して、第１形態では平坦に保持され、図３（Ｂ）に示すように、図２の状態から山折りされて折り畳まれる場合には、頭左部１６ａと頭右前部１６ｂとが回動されて互いに重なり合う。
【００２４】
連結部材４ｂは、中央部分１０ａの脚左部１８ａと左側部分１０ｂの脚右部１８ｂとを連結するものである。脚左部１８ａと脚右部１８ｂとは、具体的には、連結部材４ｂの両端に配置される軸１２ｂ，１２ｃによって連結されている。この連結部材４ｂは上記連結部材４ａと同様な構造を有する。したがって、その詳しい説明は省略する。
【００２５】
連結部材４ｃは、中央部分１０ａの頭左部１６ａと右側部分１０ｃの頭右後部１６ｃとを連結するものである。頭左部１６ａと頭右後部１６ｃとは、具体的には、連結部材４ｃの両端に配置された軸１３ｂ，１３ｃによって連結されている。この連結部材４ｃも上記連結部材４ａと同様な構造を有する。したがって、その詳しい説明は省略する。
【００２６】
連結部材４ｄは、中央部分１０ａの胴左部１５ａと右側部分１０ｃの胴右後部１５ｃとを連結するものである。胴左部１５ａと胴右後部１５ｃとは、具体的には、連結部材４ｄの両端に配置された軸１４ｂ，１４ｃによって連結されている。この連結部材４ｄも上記連結部材４ａと同様な構造を有する。したがって、その詳しい説明は省略する。
【００２７】
連結部材２１ａ，２１ｂは、図４に示すように、両端にそれぞれ配置された軸２１ｄ，２１ｅを有し、当該軸２１ｄ，２１ｅを介して頭左部１６ａ及び頭右前部１６ｂと左頬部２２ａ及び右頬部２２ｂとが互いに連結されている。この連結部材２１ａ，２１ｂでは、左頬部２２ａ及び右頬部２２ｂを頭左部１６ａ及び頭右前部１６ｂのそれぞれの外面に重ね合わせる。
【００２８】
連結部材１９ａ，１９ｂは、図５に示すように、両端にそれぞれ配置された軸１９ｄ，１９ｅを有し、当該軸１９ｄ，１９ｅを介して胴左部１５ａ及び胴右後部１５ｃと左車輪２０ａ及び右車輪２０ｂとが互いに連結されている。この連結部材１９ａ，１９ｂによって、連結部材１９ａ，１９ｂを軸１９ｄを中心にして外方へ回動させるとともに、左車輪２０ａ及び右車輪２０ｂの姿勢を軸１９ｅを中心に回動させて胴左部１５ａ及び胴右後部１５ｃと略平行になるようにすることができる。また、連結部材１９ａ，１９ｂは、この胴左部１５ａ及び胴右後部１５ｃの外面が表側に位置するように、必要ならば車輪２０ａ，２０ｂを軸１９ｅを中心に約１８０度回転させる機能を有する。
【００２９】
ヒンジ２３ａ，２３ｂは、左腕部２４ａ及び右腕部２４ｂをヒンジ２３ａ，２３ｂを中心にして外方へ引き出させる機能を有する。
【００３０】
３．板状体１０の第二面
図６は、形態変化玩具１Ａの板状体１０の第二面を示している。この第二面は、上記第一面と同一形状で同じ構成部分から構成されているので、同一の構成部分には、同一符号を付して説明を省略する。
この第二面において、連結部材４ａには第一面の顔の表情とは異なった表情の顔が形成されている。
【００３１】
（遊び方）
１．遊び方その１
この形態変化玩具１Ａでは、図２に示した左側部分１０ｂを連結部材４ａ，４ｂを介して中央部分１０ａの裏側に折り畳んで重ね合わせ、右側部分１０ｃを連結部材４ｃ，４ｄを介して中央部分１０ａの裏側に折り畳んで重ね合わせる（図７参照）。
【００３２】
次に、左頬部２２ａ及び右頬部２２ｂをそれぞれ連結部材２１ａ，２１ｂを介して頭左部１６ａ及び頭右前部１６ｂの外面にそれぞれ折り畳んで重ね合わせる（図８参照）。
【００３３】
続いて、脚左部１８ａ及び脚右部１８ｂをヒンジ１７ａ，１７ｂを介して上方へ回動する（図９参照）。なお、この形態変化玩具１Ａでは、脚左部１８ａ及び脚右部１８ｂを一体的に回動させる必要があることから、軸１７ａ，１７ｂの中心を十分に合致させておく必要がある。
【００３４】
次に、左車輪２０ａ及び右車輪２０ｂを外方へ引き出すとともに、軸１９ｅを中心にして１８０度反転させ、また、左腕部２４ａ及び右腕部２４ｂの自由端をヒンジ２３ａ，２３ｂによって後方外方へ回動させる（図１０，図１１参照）。
【００３５】
２．遊び方その２
この形態変化玩具１Ａは、左側部分１０ｂ及び右側部分１０ｃを中央部分１０ａの表側に折り畳んで重ね合わせ、上記手順と同様にして変形させることもできる。この場合、図１２に示すように、連結部材４ａの第二面側が表になる。したがって、連結部材４Ａに第一面側とは異なる顔を形成しておくことが好ましい。なお、この場合には、車輪１１ａ，１１ｂは、反転させる必要はない。
【００３６】
《第２実施形態》
図１３から図１５は、第２実施形態である形態変化玩具１Ｂを示している。
【００３７】
（構成）
１．板状体３０
この形態変化玩具１Ｂの板状体３０は、大別すると、中央部分３０ａ、左側部分３０ｂ及び右側部分３０ｃの３つの部分から構成されている。
中央部分３０ａは板状体３０の幅方向中央に位置し、板状体３０の全幅の１／２の幅を有している。また、左側部分３０ｂ及び右側部分３０ｃのそれぞれは板状体３０の全幅の１／４の幅を有している。そして、図１３において、中央部分３０ａと左側部分３０ｂは、２つの連結部材４４，４５によって互いに連結され、連結部材４４，４５を介して折り畳み可能に構成されている。また、図１３において、中央部分３０ａと右側部分３０ｃは、２つの連結部材４６，４７によって互いに連結され、連結部材４６，４７を介して一方向に折り畳み可能に構成されている。
【００３８】
中央部分３０ａには、ロボット玩具の前半身となる構成部分が形成されている。具体的には、中央部３０ａには顔部を含む胴前部３１ａが形成され、この胴前部３１ａの両脇にはヒンジ（連結部材）３２ａ，３３ａを介して右上腕前部３４ａ及び左上腕前部３５ａがそれぞれ形成されている。また、右上腕前部３４ａ及び左上腕前部３５ａの自由端には、連結部材３６ａ，３７ａを介して右下腕前部３８ａ及び左下腕前部３９ａが形成されている。また、胴前部３１ａの下端部の左右には、ヒンジ（連結部材）４０ａ，４１ａを介して右脚前部４２ａ及び左脚前部４３ａが形成されている。
【００３９】
左側部分３０ｂ及び右側部分３０ｃのそれぞれには、ロボット玩具の後半身の左右の半部となる構成部分が形成されている。そして、左側部分３０ｂの構成部分と右側部分３０ｃの構成部分とが組み合わさって、ロボット玩具の後半身全体が形成される。
【００４０】
左側部分３０ｂには、ロボット玩具の後半身の右半部となる構成部分が形成されている。すなわち、左側部分３０ｂには、胴右後部３１ｂが形成され、その胴右後部３１ｂにはヒンジ（連結部材）３２ｂを介して右上腕後部３４ｂが形成されている。また、この右上腕後部３４ｂの自由端には、連結部材３６ｂを介して右下腕後部３８ｂが形成されている。また、胴右後部３１ｂには、ヒンジ（連結部材）４０ｂを介して右脚後部４２ｂが形成されている。
【００４１】
右側部分３０ｃには、ロボット玩具の後半身の左半部となる構成部分が形成されている。すなわち、右側部分３０ｃには、胴左後部３１ｃが形成され、その胴左後部３１ｃにはヒンジ３３ｂを介して左上腕後部３５ｂが形成されている。また、この左上腕後部３５ｂの自由端には、連結部材３７ｂを介して左下腕後部３９ｂが形成されている。また、胴左後部３１ｃには、ヒンジ（連結部材）４１ｂを介して左脚後部４３ｂが配設されている。
【００４２】
２．連結部材
連結部材３６ａ，３６ｂは、両端に板状体３０の面と平行な軸３６ｄと、板状体３０の面に対して直行する方向に伸びる軸３６ｅを備えており、右下腕前部３８ａ及び右下腕後部３８ｂは、軸３６ｄ，３６ｅによって板状体３０の面に対して垂直方向および平行方向に回動可能に支持される。また、連結部材３７ａ，３７ｂは、両端に板状体３０の面と平行な軸３７ｄと、板状体３０の面に対して直行する方向に伸びる軸３７ｅを備えており、左下腕前部３９ａ及び左下腕後部３９ｂは、軸３７ｄ，３７ｅによって板状体３０の面に対して垂直方向および平行方向に回動可能に支持される。
【００４３】
連結部材４４は、上記連結部材４ａと同様の構造を有し、右上腕前部３４ａと右上腕後部３４ｂとを互いに連結する。また、連結部材４５は、右脚前部４２ａと右脚後部４２ｂとを互いに連結する。同様に、連結部材４６は、左上腕前部３５ａと左上腕後部３５ｂとを互いに連結し、連結部材４７は、右脚前部４３ａと右脚後部４３ｂとを互いに連結する。
【００４４】
（遊び方）
このように形成された形態変化玩具１Ｂでは、図１３に示した左側部分３０ｂを連結部材４４，４５を介して中央部分３０ａの裏側に折り畳んで重ね合わせ、右側部分３０ｃを連結部材４６，４７を介して中央部分３０ａの裏側に折り畳んで重ね合わせる（図１４参照）。
【００４５】
次いで、右上腕前部３４ａ，右上腕後部３４ｂ，左上腕前部３５ａ，左上腕後部３５ｂをヒンジ３２ａ，３２ｂ、３３ａ，３３ｂを介して外側に引き出すとともに、右下腕前部３８ａ，右下腕後部３８ｂ、左下腕前部３９ａ，左下腕後部３９ｂを軸３６ｄ，３６ｅ、３７ｄ，３７ｅを介して前方または後方へ回動させる（図１５参照）。
【００４６】
なお、この形態変化玩具１Ｂは、左側部分３０ｂ及び右側部分３０ｃを中央部分３０ａに対して表側に折り畳むことも可能とすることができる。この場合、形態は変わることがないが、表と裏の模様や彩色等を異ならせることによって変化をつけることができる。
【００４７】
《第３実施形態》
【００４８】
図１６から図２０は、第３実施形態である形態変化玩具１Ｃを示している。
（構成）
１．板状体５０
図１６は、形態変化玩具１Ｃの矩形板状体５０の表面を示し、図１７は第一面を示している。
この形態変化玩具１Ｃの板状体５０は、大別すると、中央部分５０ａ、左側部分５０ｂ及び右側部分５０ｃの３つの部分から構成されている。
中央部分５０ａは板状体５０の幅方向中央に位置し、板状体５０の全幅の１／２の幅を有している。また、左側部分５０ｂ及び右側部分５０ｃのそれぞれは板状体５０の全幅の１／４の幅を有している。そして、図１６において、中央部分５０ａと左側部分５０ｂは、２つの連結部材６４，６５によって互いに連結され、連結部材６４，６５を介して折り畳み可能に構成されている。また、図１６において、中央部分５０ａと右側部分５０ｃは、２つの連結部材６６，６７によって互いに連結され、連結部材６６，６７を介して折り畳み可能に構成されている。
この第３実施形態の板状体５０の第二面は平面に形成され、左側部分５０ｂ及び右側部分５０ｃの中央部分５０ａに対する折り畳み方向は中央部分５０ａの裏側方向だけに限定されている。このような構造は、連結部材６４〜６７によって互いに連結される構成要素の端部の形状を変えることによって容易に得ることができる。要するに、連結部材６４〜６７によって互いに連結される構成要素に突起や段部などを形成すればこのような構造を容易に得ることができる。そして、このような構造とすることで、第二面を各種カードの絵柄とすることで、興趣性を高めることができる。
【００４９】
中央部５０ａには、ロボット玩具の前半身が形成されている。すなわち、中央部５０ａには、頭前部を有する胴前部５１ａが形成され、この胴前部５１ａの両脇にはヒンジ（連結部材）５２ａ，５３ａを介して右腕前部５４ａ及び左腕前部５５ａがそれぞれ形成されている。これら右腕前部５４ａ及び左腕前部５５ａの自由端には、ヒンジ（連結部材）５６ａ，５７ａを介して右手前部５８ａ及び左手前部５９ａが形成されている。また、胴前部５１ａの下端部の左右には、連結部材６０ａ，６１ａを介して右脚前部６２ａ及び左脚前部６３ａが形成されている。
【００５０】
左側部分５０ｂには、ロボット玩具の後半身の右半部が形成されている。すなわち、左側部分５０ｂには、胴右後部５１ｂが形成され、その胴右後部５１ｂにはヒンジ（連結部材）５２ｂを介して右腕後部５４ｂが形成されている。この右腕後部５４ｂの自由端には、ヒンジ（連結部材）５６ｂを介して右手後部５８ｂが形成されている。また、胴右後部５１ｂの下端部には、連結部材６０ｂを介して右脚後部６２ｂが形成されている。
【００５１】
また、右側部分５０ｃには、ロボット玩具の後半身の左半部が形成されている。すなわち、右側部分５０ｃには、左後胴部５１ｃが形成され、その左後胴部５１ｃにはヒンジ（連結部材）５３ｂを介して左腕後部５５ｂが形成されている。この左腕後部５５ｂの自由端には、ヒンジ（連結部材）５７ｂを介して左手後部５９ｂが形成されている。また、左後胴部５１ｂの下端部には、連結部材６１ｂを介して左脚後部６３ｂが配設されている。
【００５２】
２．連結部材
右腕前部５４ａと右腕後部５４ｂとは連結部材６４によって互いに連結され、右脚前部６２ａと右脚後部６２ｂとは連結部材６５によって互いに連結されている。同様に、左腕前部５５ａと左脚後部５５ｂとは連結部材６６によって互いに連結され、左脚前部６３ａと左脚後部６３ｂとは連結部材６７によって互いに連結されている。
【００５３】
（遊び方）
このように形成された形態変化玩具１Ｃでは、左側部分５０ｂを連結部材６２，６５によって中央部分５０ａの裏側に折り畳んで重ね合わせ、右側部分５０ｃを連結部材６６，６７を介して中央部分５０ａの裏側に折り畳んで重ね合わせる（図１８参照）。
【００５４】
次に、右腕前部５４ａ，右腕後部５４ｂ，左腕前部５５ａ，左腕後部５５ｂをヒンジ５２ａ，５２ｂ、５３ａ，５３ｂによって外側に引き出すとともに、右手前部５８ａ，右手後部５８ｂ、左手前部５９ａ，左手後部５９ｂを軸５６ａ，５６ｂ、５７ａ，５７ｂによって上方等へ回動させる（図１９参照）。
【００５５】
（その他）
なお、この形態変化玩具１Ｃでは、図２０に示すように、右脚前部６２ａ及び左脚前部６３ａに爪状の足先６８，６９が配設されている。この足先６８，６９は板状に形成され、下端に舌片６８ａ，６９ａを備えている。一方、右脚前部６２ａ及び左脚前部６３ａには、先端が膨出するピン７０ａ，７１ａが立設されている。そして、足先６８，６９は、舌片６８ａ，６９ａでピン７０ａ，７１ａの膨出部を包み込むようにして右脚前部６２ａ及び左脚前部６３ａに取り付けられる。したがって、この足先６８，６９は、ピン７０ａ，７１ａに対して回転方向，右脚前部６２ａ，左脚前部６３ａの面に対して垂直方向等、任意姿勢を取り得る。
【００５６】
《発明の変形例》
以上、本発明の実施形態について説明したが、本発明は、かかる実施形態に限定されず、その要旨を逸脱しない範囲で、種々変形可能であることは言うまでもない。
例えば、上記実施形態では、矩形状の板状体をロボット玩具に変形させる場合について説明したが、板状体は矩形状でなくてもよく、円形、楕円形その他の形状であってもよい。また、ロボット玩具でなくその他の形象物、例えばビークル、昆虫その他の動物等に変形するようにしてもよい。
【符号の説明】
【００５７】
１Ａ〜１Ｃ    形態変化玩具
４ａ〜４ｄ    連結部材
１０    板状体
１０ａ    中央部分
１０ｂ    左側部分（両脇部材の１つ）
１０ｃ    右側部分（両脇部材の１つ）
３０    板状体
３０ａ    中央部分
３０ｂ    左側部分（両脇部材の１つ）
３０ｃ    右側部分（両脇部材の１つ）
５０    板状体
５０ａ    中央部分
５０ｂ    左側部分（両脇部材の１つ）
５０ｃ    右側部分（両脇部材の１つ）
【要約】
【課題】板状体の厚みが薄くても十分な強度が得られる形態変化玩具を提供すること。
【解決手段】複数の構成部分が連結部材４ａ〜４ｄを介して連結されて板状に配置され、一部の前記連結部材を介して少なくとも一部の前記構成部分同士が重畳されるように折り畳み可能に構成され、重畳された前記構成部分同士のうちの少なくとも一部がその他の部分に対して一体的に動作可能に構成され、複数の構成部分が板状に配置された一の形態と、重畳された前記構成部分同士のうちの少なくとも一部が一体的に動作した他の形態とを可逆的に取り得ることを特徴とする。
【選択図】図２【図１】
0005947473.tif 000002
【図２】
0005947473.tif 000003
【図３】
0005947473.tif 000004
【図４】
0005947473.tif 000005
【図５】
0005947473.tif 000006
【図６】
0005947473.tif 000007
【図７】
0005947473.tif 000008
【図８】
0005947473.tif 000009
【図９】
0005947473.tif 000010
【図１０】
0005947473.tif 000011
【図１１】
0005947473.tif 000012
【図１２】
0005947473.tif 000013
【図１３】
0005947473.tif 000014
【図１４】
0005947473.tif 000015
【図１５】
0005947473.tif 000016
【図１６】
0005947473.tif 000017
【図１７】
0005947473.tif 000018
【図１８】
0005947473.tif 000019
【図１９】
0005947473.tif 000020
【図２０】
0005947473.tif 000021